Podtech/llm-jp-corpus-v4-ja_patent huggingface dataset:
【手続補正書】
【提出日】平成26年7月3日(2014.7.3)
【手続補正１】
【補正対象書類名】特許請求の範囲
【補正対象項目名】全文
【補正方法】変更
【補正の内容】
【特許請求の範囲】
【請求項１】
情報処理装置であって、
ユーザと人物との関係を判定する判定手段と、
前記判定手段により判定された前記関係に応じたコンテンツの選択条件に従って、コンテンツを選択する選択手段と、
前記選択手段により選択したコンテンツを前記ユーザまたは前記人物に提示するための提示手段と、
を有することを特徴とする情報処理装置。
【請求項２】
前記ユーザのネットワーク上での活動を示す情報を他の情報処理装置から取得する取得手段を更に有し、
前記判定手段は、前記取得手段が取得した前記ユーザのネットワーク上での活動を示す情報に基づいて、前記ユーザと前記人物との関係を判定することを特徴とする請求項１記載の情報処理装置。
【請求項３】
前記判定手段は、前記ユーザが送受信したメッセージ、前記ユーザが登録したスケジュール、前記コンテンツへの評価、前記ユーザの属性、の少なくとも何れか一つに基づいて、前記ユーザと前記人物との関係を判定することを特徴とする請求項１または２に記載の情報処理装置。
【請求項４】
前記選択手段は、前記選択条件に適合する属性を前記コンテンツが有する場合、当該コンテンツを選択することを特徴とする請求項１乃至３何れか１項に記載の情報処理装置。
【請求項５】
前記コンテンツは、画像であり、
前記選択手段は、前記判定手段による判定された関係に応じて、前記画像に前記ユーザまたは前記人物が存在する画像を選択することを特徴とする請求項１乃至４何れか１項に記載の情報処理装置。
【請求項６】
前記選択手段は、前記判定手段による判定された前記関係に応じた作成日時のコンテンツを取得することを特徴とする請求項１乃至５何れか１項に記載の情報処理装置。
【請求項７】
前記選択手段により選択された前記コンテンツをレイアウトするレイアウト手段を有し、
前記提示手段は、前記レイアウト手段によりレイアウトされたコンテンツを提示することを特徴とする請求項１乃至６何れか１項に記載の情報処理装置。
【請求項８】
前記選択手段により選択された前記コンテンツのプレビューと共に前記人物に当該コンテンツを配信することの承認を前記ユーザに問い合わせる問い合わせ手段を更に有し、
前記問い合わせ手段による問い合わせに対する前記ユーザの応答に応じて、前記コンテンツを配信することを特徴とする請求項１乃至７何れか１項に記載の情報処理装置。
【請求項９】
前記ユーザと前記人物は同一であることを特徴とする請求項１乃至８何れか１項に記載の情報処理装置。
【請求項１０】
前記選択手段は、前記判定手段により判定された前記関係と、前記人物に関連付けられて保存されている複数のコンテンツとに応じて、前記ユーザの複数のコンテンツからコンテンツを選択することを特徴とする請求項１乃至９何れか１項に記載の情報処理装置。
【請求項１１】
前記選択手段は、前記判定手段により判定された前記関係に応じて、前記ユーザの複数のコンテンツンのうち、前記人物関連付けられて保存されている複数のコンテンツの何れにも類似しないコンテンツを選択することを特徴とする請求項１０に記載の情報処理装置。
【請求項１２】
前記提示手段は、前記人物に提供すべきコンテンツとして前記選択手段により選択されたコンテンツを前記ユーザまたは前記人物に提示することを特徴とする請求項１乃至１１何れか１項に記載の情報処理装置。
【請求項１３】
情報処理装置の制御方法であって、
ユーザと人物との関係を判定する判定手工程と、
前記判定工程において判定された前記関係に応じたコンテンツの選択条件に従って、コンテンツを選択する選択工程と、
前記選択工程において選択したコンテンツを前記ユーザまたは前記人物に提示するための提示工程と、
を有することを特徴とする情報処理装置の制御方法。
【請求項１４】
請求項１３記載の制御方法をコンピュータに実行させるためのプログラム。
【手続補正２】
【補正対象書類名】明細書
【補正対象項目名】０００５
【補正方法】変更
【補正の内容】
【０００５】
本発明は上述した問題を解決するためになされたものであり、ユーザの負荷を軽減しつ
つ、ユーザと人物との関係に応じたコンテンツを選択することを目的とする。
【手続補正３】
【補正対象書類名】明細書
【補正対象項目名】０００６
【補正方法】変更
【補正の内容】
【０００６】
上記課題を解決するための一手段として、ユーザと人物との関係を判定する判定手段と、前記判定手段により判定された前記関係に応じたコンテンツの選択条件に従って、コンテンツを選択する選択手段と、前記選択手段により選択したコンテンツを前記ユーザまたは前記人物に提示するための提示手段と、を有することを特徴とする情報処理装置を提供する。
【手続補正４】
【補正対象書類名】明細書
【補正対象項目名】０００７
【補正方法】変更
【補正の内容】
【０００７】
本発明によれば、ユーザの負荷を軽減しつつ、ユーザと人物との関係に応じたコンテンツを選択することができる。
【手続補正書】
【提出日】平成26年7月8日(2014.7.8)
【手続補正１】
【補正対象書類名】特許請求の範囲
【補正対象項目名】全文
【補正方法】変更
【補正の内容】
【特許請求の範囲】
【請求項１】
少なくともプレイポジションにいる人物を撮影範囲に含むように撮影方向を装置前方に向けて配置された撮影部と、
前記撮影部により撮影された撮影画像に写っている人物それぞれの人物画像を認識する認識部と、
前記認識部の認識結果を用いて当該撮影画像に写っている各人物について、性別及び年齢層を少なくとも含む客層を判定する客層判定部と、
前記客層判定部により判定された客層の組み合わせを用いて、アトラクションモードの演出内容を制御するアトラクションモード制御部と、
を備えたゲームシステム。
【請求項２】
少なくともプレイポジションにいる人物を撮影範囲に含むように撮影方向を装置前方に向けて配置された撮影部と、
前記撮影部により撮影された撮影画像に含まれる人物画像を認識する認識部と、
前記認識部の認識結果を用いて当該撮影画像に写っている人物の性別及び年齢層を少なくとも含む客層を判定する客層判定部と、
前記認識部の認識結果に基づき認証可能な特徴データを登録プレーヤ毎に記憶する登録プレーヤデータ記憶部の記憶データを参照して、前記認識部の認識結果に基づいて、前記撮影画像に登録プレーヤが写っていることを検出する登録プレーヤ検出部と、
前記客層判定部による判定結果を用いて、アトラクションモードの演出内容を制御するアトラクションモード制御部と、
を備え、
前記アトラクションモード制御部は、前記登録プレーヤ検出部による検出が有った場合に、登録プレーヤ毎の個人情報を記憶する登録プレーヤ情報記憶部の記憶データを参照して、当該検出された登録プレーヤの個人情報に基づいて、アトラクションモードの演出内容を切り替える登録プレーヤ優先制御手段を有する、
ゲームシステム。
【請求項３】
前記プレイポジションに人物がいることを検出する人物所在検出部を備え、
前記登録プレーヤ検出部は、前記人物所在検出部による検出が有った場合に、前記撮影画像に登録プレーヤが写っているか否かの判定を行う、
請求項２に記載のゲームシステム。
【請求項４】
前記個人情報には当該登録プレーヤの過去のゲームプレイに係るデータが含まれ、
前記登録プレーヤ優先制御手段は、前記過去のゲームプレイに係るデータに基づいて、アトラクションモードの演出内容を切り替える、
請求項２又は３に記載のゲームシステム。
【請求項５】
前記認識部は、前記撮影画像に写っている人物の顔表情を認識する顔表情認識部を有し、
前記顔表情認識部の認識結果に基づいて、当該ゲームシステムへの興味を持つ人物が前記撮影画像に写ったことを検出する好感反応者検出部と、
前記アトラクションモードの演出内容に係るデータを、当該演出内容の分類情報と対応付けて記憶するアトラクションモードデータ記憶部と、
を備え、
前記アトラクションモード制御部は、前記好感反応者検出部による検出が有った場合に、分類情報が現在実行中のアトラクションモードの演出内容と所定の関連条件を満たす演出内容に係るデータを前記アトラクションモード記憶部から選択し、所与のタイミングで演出内容を切り替える好感反応者検出時制御手段を有する、
請求項１〜４の何れか一項に記載のゲームシステム。
【請求項６】
前記客層判定部による判定結果を用いて、曜日別及び／又は時間帯別の来客客層データベースを作成する来客客層データベース作成部を備え、
前記アトラクションモード制御部は、前記来客客層データベースを参照してアトラクションモードの演出内容を制御する日時基準制御手段を有する、
請求項１〜５の何れか一項に記載のゲームシステム。
【請求項７】
少なくともプレイポジションにいる人物を撮影範囲に含むように撮影方向を装置前方に向けて配置された撮影部を備え、所定のゲームを実行可能に構成されたコンピュータシステムを、
前記撮影部により撮影された撮影画像に写っている人物それぞれの人物画像を認識する認識部、
前記認識部の認識結果を用いて当該撮影画像に写っている各人物について、性別及び年齢層を少なくとも含む客層を判定する客層判定部、
前記客層判定部により判定された客層の組み合わせを用いて、アトラクションモードの演出内容を制御するアトラクションモード制御部、
として機能させるためのプログラム。
【請求項８】
少なくともプレイポジションにいる人物を撮影範囲に含むように撮影方向を装置前方に向けて配置された撮影部を備え、所定のゲームを実行可能に構成されたコンピュータシステムを、
前記撮影部により撮影された撮影画像に含まれる人物画像を認識する認識部、
前記認識部の認識結果を用いて当該撮影画像に写っている人物の性別及び年齢層を少なくとも含む客層を判定する客層判定部、
前記認識部の認識結果に基づき認証可能な特徴データを登録プレーヤ毎に記憶する登録プレーヤデータ記憶部の記憶データを参照して、前記認識部の認識結果に基づいて、前記撮影画像に登録プレーヤが写っていることを検出する登録プレーヤ検出部、
前記客層判定部による判定結果を用いて、アトラクションモードの演出内容を制御するアトラクションモード制御部、
として機能させ、
前記アトラクションモード制御部は、前記登録プレーヤ検出部による検出が有った場合に、登録プレーヤ毎の個人情報を記憶する登録プレーヤ情報記憶部の記憶データを参照して、当該検出された登録プレーヤの個人情報に基づいて、アトラクションモードの演出内容を切り替える登録プレーヤ優先制御手段を有する、
プログラム。
【手続補正２】
【補正対象書類名】明細書
【補正対象項目名】発明の名称
【補正方法】変更
【補正の内容】
【発明の名称】ゲームシステム及びプログラム
【手続補正書】
【提出日】平成26年7月8日(2014.7.8)
【手続補正１】
【補正対象書類名】特許請求の範囲
【補正対象項目名】全文
【補正方法】変更
【補正の内容】
【特許請求の範囲】
【請求項１】
プレーヤを撮影する撮影部と、
前記撮影部により撮影された撮影画像に基づいて、ゲーム進行中の所与のタイミングにおける前記プレーヤの顔表情を認識する顔表情認識部と、
前記顔表情認識部の認識結果を含むサンプル調査データを記憶部に記憶させる、又は、当該サンプル調査データを記憶する所定のサーバシステムに送信して記憶させる記憶制御を行う調査データ記憶制御部と、
を備えたゲームシステム。
【請求項２】
前記撮影部により撮影された撮影画像に基づいて前記プレーヤの性別及び年齢層を少なくとも含む客層を判定する客層判定部と、
前記調査データ記憶制御部は、前記客層判定部の判定結果を更に含めて前記サンプル調査データとする、
請求項１に記載のゲームシステム。
【請求項３】
前記客層判定部の判定結果が、所与の調査対象条件に合致するか否かを判定する調査対象判定部を更に備え、
前記調査データ記憶制御部は、前記調査対象判定部により合致すると判定された場合に、前記客層判定部の判定結果と前記顔表情認識部の認識結果とを対応付けてサンプル調査データとして前記記憶制御を実行する、
請求項２に記載のゲームシステム。
【請求項４】
当該ゲームシステムは複数のプレーヤによるマルチプレイが可能であり、各プレーヤのプレイポジションが予め定められており、
前記撮影部は、前記プレイポジションそれぞれにいるプレーヤを撮影範囲に含むように配置されてなり、
前記客層判定部は、各プレーヤの客層を判定し、
前記調査対象判定部は、前記客層判定部により判定された各プレーヤそれぞれの客層が前記調査対象条件に合致するかを判定し、
前記調査データ記憶制御部は、前記客層判定部により判定された各プレーヤの客層の何れかが前記調査対象条件に合致する場合に、当該各プレーヤについての前記客層判定部の判定結果と前記顔表情認識部の認識結果とを対応付けてマルチプレイ時調査データとして前記記憶制御を実行する、
請求項３に記載のゲームシステム。
【請求項５】
前記顔表情認識部は、前記ゲーム進行中の所与のタイミングにおける前記プレーヤの顔表情に加えて、ゲーム開始前及び／又はゲーム終了時における前記プレーヤの顔表情を認識する、
請求項１〜４の何れか一項に記載のゲームシステム。
【請求項６】
プレーヤを撮影する撮影部を備え、所定のゲームを実行可能に構成されたコンピュータシステムを、
前記撮影部により撮影された撮影画像に基づいて、ゲーム進行中の所与のタイミングにおける前記プレーヤの顔表情を認識する顔表情認識部、
前記顔表情認識部の認識結果を含むサンプル調査データを記憶部に記憶させる、又は、当該サンプル調査データを記憶する所定のサーバシステムに送信して記憶させる記憶制御を行う調査データ記憶制御部、
として機能させるためのプログラム。
【手続補正２】
【補正対象書類名】明細書
【補正対象項目名】発明の名称
【補正方法】変更
【補正の内容】
【発明の名称】ゲームシステム及びプログラム
【手続補正書】
【提出日】平成26年7月4日(2014.7.4)
【手続補正１】
【補正対象書類名】特許請求の範囲
【補正対象項目名】全文
【補正方法】変更
【補正の内容】
【特許請求の範囲】
【請求項１】
他の情報処理装置から、第１の面積を有する仮想領域にレイアウトされ得る複数の画像データと、当該複数の画像データのツリー構造を示す第１のツリー情報と、当該複数の画像データのレイアウトを示すレイアウト情報とを受信可能な通信部と、
前記受信された複数の画像データの少なくとも一部をキャッシュ可能なキャッシュメモリと、
前記第１の面積よりも小さい第２の面積を有する表示領域を有し、前記キャッシュされた複数の画像データの一部を当該表示領域に表示可能な表示部と、
前記第２の面積と、前記受信されたレイアウト情報とを基に、前記仮想領域を複数の領域に分割し、当該複数の領域に応じて、前記複数の画像データのツリー構造を示す第２のツリー情報を生成し、当該第２のツリー情報を基に前記少なくとも一部の画像データをキャッシュするように前記キャッシュメモリを制御可能な制御部と
を具備する情報処理装置。
【請求項２】
請求項１に記載の情報処理装置であって、
前記制御部は、前記複数の領域にそれぞれポイントを付与し、所定値以上のポイントを付与された領域にレイアウトされる画像データを前記キャッシュメモリにキャッシュし、当該所定値未満のポイントを付与された領域にレイアウトされる画像データを前記キャッシュメモリから消去するように前記キャッシュメモリを制御する
情報処理装置。
【請求項３】
請求項２に記載の情報処理装置であって、
前記制御部は、前記表示領域に表示される画像データが変更された場合に、当該変更後の画像データを基に、前記第２のツリー情報を再生成し、前記各領域に付与されるポイントを再計算する
情報処理装置。
【請求項４】
請求項２または３に記載の情報処理装置であって、
前記制御部は、前記複数の領域のうち、前記表示領域に表示されている画像データがレイアウトされている領域と他の領域との距離が小さいほど前記ポイントが高くなるように、前記複数の領域に付与されるポイントを計算する
情報処理装置。
【請求項５】
請求項４に記載の情報処理装置であって、
前記制御部は、前記表示領域に表示されている画像データがレイアウトされている領域には、前記距離に応じたポイントに加えて別途ポイントを付与する
情報処理装置。
【請求項６】
他の情報処理装置から、第１の面積を有する仮想領域にレイアウトされ得る複数の画像データと、当該複数の画像データのツリー構造を示す第１のツリー情報と、当該複数の画像データのレイアウトを示すレイアウト情報とを受信し、
前記第１の面積よりも小さい第２の面積を有する表示領域を有する表示部に、前記受信された複数の画像データの一部を表示し、
前記第２の面積と、前記受信されたレイアウト情報とを基に、前記仮想領域を複数の領域に分割し、当該複数の領域に応じて、前記複数の画像データのツリー構造を示す第２のツリー情報を生成し、
前記第２のツリー情報を基に前記少なくとも一部の画像データをキャッシュする
情報処理方法。
【請求項７】
情報処理装置に、
他の情報処理装置から、第１の面積を有する仮想領域にレイアウトされ得る複数の画像データと、当該複数の画像データのツリー構造を示す第１のツリー情報と、当該複数の画像データのレイアウトを示すレイアウト情報とを受信するステップと、
前記第１の面積よりも小さい第２の面積を有する表示領域を有する表示部に、前記受信された複数の画像データの一部を表示するステップと、
前記第２の面積と、前記受信されたレイアウト情報とを基に、前記仮想領域を複数の領域に分割し、当該複数の領域に応じて、前記複数の画像データのツリー構造を示す第２のツリー情報を生成するステップと、
前記第２のツリー情報を基に前記少なくとも一部の画像データをキャッシュするステップと
を実行させるプログラム。
【手続補正書】
【提出日】平成26年6月23日(2014.6.23)
【手続補正１】
【補正対象書類名】特許請求の範囲
【補正対象項目名】全文
【補正方法】変更
【補正の内容】
【特許請求の範囲】
【請求項１】
第一のデータ形式に対応した印刷装置のプリンタドライバと、前記印刷装置が対応するデータ形式に応じてデータを生成するアプリケーションとを有する情報処理装置であって、
前記印刷装置が第二のデータ形式に対応しているか否かを判定する判定手段と、
前記判定手段にて前記第二のデータ形式に対応していると判定された場合、前記アプリケーションが生成した、前記第一のデータ形式のデータを内包する前記第二のデータ形式のデータを、前記印刷装置へ送信し、
前記判定手段にて前記第二のデータ形式に対応していないと判定された場合、前記アプリケーションが生成した前記第二のデータ形式のデータを、前記プリンタドライバの機能を用いて、前記第一のデータ形式に変換して前記印刷装置へ送信する送信手段と
を有することを特徴とする情報処理装置。
【請求項２】
前記印刷装置から当該印刷装置が対応するデータ形式の情報を取得する取得手段を更に有し、
前記判定手段は、前記取得手段にて取得した情報を用いて判定することを特徴とする請求項１に記載の情報処理装置。
【請求項３】
前記アプリケーションに対し、前記判定手段による判定結果を通知する通知手段を更に有することを特徴とする請求項１または２に記載の情報処理装置。
【請求項４】
前記アプリケーションが生成するデータのデータ形式を確認する確認手段を更に有し、
前記送信手段は、前記確認手段による確認の結果、前記アプリケーションが前記第一のデータ形式のデータのみを生成するアプリケーションの場合、前記アプリケーションが生成する前記第一のデータ形式のデータをそのまま前記印刷装置に送信することを特徴とする請求項１乃至３のいずれか一項に記載の情報処理装置。
【請求項５】
前記第一のデータ形式は、ＰｏｓｔＳｃｒｉｐｔ、またはＰＣＬ（Ｐｒｉｎｔｅｒ  Ｃｏｎｔｒｏｌ  Ｌａｎｇｕａｇｅ）であることを特徴とする請求項１乃至４のいずれか一項に記載の情報処理装置。
【請求項６】
前記第二のデータ形式は、ＸＰＳ（ＸＭＬ  Ｐａｐｅｒ  Ｓｐｅｃｉｆｉｃａｔｉｏｎ）であることを特徴とする請求項１乃至５のいずれか一項に記載の情報処理装置。
【請求項７】
第一のデータ形式に対応した印刷装置のプリンタドライバと、前記印刷装置が対応するデータ形式に応じてデータを生成するアプリケーションとを有する情報処理装置における制御方法であって、
前記印刷装置が第二のデータ形式に対応しているか否かを判定する判定工程と、
前記判定工程にて前記第二のデータ形式に対応していると判定された場合に前記アプリケーションが生成した、前記第一のデータ形式のデータを内包する前記第二のデータ形式のデータを、前記印刷装置へ送信し、
前記判定工程にて前記第二のデータ形式に対応していないと判定された場合に前記アプリケーションが生成した前記第二のデータ形式のデータを、前記プリンタドライバの機能を用いて、前記第一のデータ形式に変換して前記印刷装置へ送信する送信工程と
を有することを特徴とする制御方法。
【請求項８】
前記第二のデータ形式は、ＸＰＳ（ＸＭＬ  Ｐａｐｅｒ  Ｓｐｅｃｉｆｉｃａｔｉｏｎ）であることを特徴とする請求項７に記載の制御方法。
【請求項９】
コンピュータを、
第一のデータ形式に対応した印刷装置が第二のデータ形式に対応しているか否かを判定する判定手段、
前記判定手段にて前記第二のデータ形式に対応していると判定された場合にアプリケーションが生成した、前記第一のデータ形式のデータを内包する前記第二のデータ形式のデータを、前記印刷装置へ送信し、
前記判定手段にて前記第二のデータ形式に対応していないと判定された場合に前記アプリケーションが生成した前記第二のデータ形式のデータを、前記第一のデータ形式の形式に変換して前記印刷装置へ送信するよう制御する送信手段として機能させるためのプログラム。
【手続補正２】
【補正対象書類名】明細書
【補正対象項目名】００１０
【補正方法】変更
【補正の内容】
【００１０】
上記課題を解決するために、本発明において、第一のデータ形式に対応した印刷装置のプリンタドライバと、前記印刷装置が対応するデータ形式に応じてデータを生成するアプリケーションとを有する情報処理装置であって、前記印刷装置が第二のデータ形式に対応しているか否かを判定する判定手段と、前記判定手段にて前記第二のデータ形式に対応していると判定された場合、前記アプリケーションが生成した、前記第一のデータ形式のデータを内包する前記第二のデータ形式のデータを、前記印刷装置へ送信し、前記判定手段にて前記第二のデータ形式に対応していないと判定された場合、前記アプリケーションが生成した前記第二のデータ形式のデータを、前記プリンタドライバの機能を用いて、前記第一のデータ形式に変換して前記印刷装置へ送信する送信手段とを有する。
【手続補正書】
【提出日】平成26年5月30日(2014.5.30)
【手続補正１】
【補正対象書類名】特許請求の範囲
【補正対象項目名】請求項２
【補正方法】変更
【補正の内容】
【請求項２】
前記警備装置は、
前記監視対象の異常を検知しているときは、前記入力部による利用者情報の入力及び前記参照処理部による前記参照要求信号の送信を禁止する請求項１に記載の利用者情報管理システム。
【手続補正２】
【補正対象書類名】特許請求の範囲
【補正対象項目名】請求項３
【補正方法】変更
【補正の内容】
【請求項３】
前記情報管理装置は、
さらに、前記警備装置が前記監視対象の異常を検知しているか否か判定する状態判定部を備え、
前記情報管理部は、前記警備装置から参照要求信号を受信したときに、当該警備装置が異常検知状態で無ければ前記利用者情報を前記警備装置に送信する請求項１に記載の利用者情報管理システム。
【手続補正３】
【補正対象書類名】明細書
【補正対象項目名】００１０
【補正方法】変更
【補正の内容】
【００１０】
また、本発明による利用者情報管理システムにおいて、前記警備装置は、前記監視対象の異常を検知しているときは、前記入力部による利用者情報の入力及び前記参照処理部による前記参照要求信号の送信を禁止するようにしてもよい。
【手続補正４】
【補正対象書類名】明細書
【補正対象項目名】００１１
【補正方法】変更
【補正の内容】
【００１１】
さらに、本発明による利用者情報管理システムにおいて、前記情報管理装置は、さらに、前記警備装置が前記監視対象の異常を検知しているか否か判定する状態判定部を備え、前記情報管理部は、前記警備装置から参照要求信号を受信したときに、当該警備装置が異常検知状態で無ければ前記利用者情報を前記警備装置に送信するようにしてもよい。
【手続補正書】
【提出日】平成26年4月14日(2014.4.14)
【手続補正１】
【補正対象書類名】特許請求の範囲
【補正対象項目名】全文
【補正方法】変更
【補正の内容】
【特許請求の範囲】
【請求項１】
記録媒体受付装置であって、
表面に情報が記録された情報記録領域を有する記録媒体を挿入するための挿入口を有する記録媒体挿入部を備え、
前記記憶媒体挿入部は、前記記憶媒体の挿入方向前面から見て前記挿入口より上側に位置する上部部材と、前記記憶媒体の挿入方向前面から見て前記挿入口より下側に位置し、前記上部部材と共に前記挿入口を構成する下部部材と、を有し、
前記上部部材の下縁は、前記下部部材の上縁よりも前記挿入口の外側に近い位置に設けられ、
前記挿入口のうち、前記記録媒体の挿入時における前記情報記録領域の位置に対応する部分である記録領域対応部分は、前記記録媒体の厚さ方向に対応する第１の方向に沿った大きさが、前記挿入口の他の部分である記録領域非対応部分より小さい、記録媒体受付装置。
【請求項２】
請求項１に記載の記録媒体受付装置であって、
前記挿入口の前記記録領域対応部分は、前記記録媒体の前記情報記録領域に対向する側に前記第１の方向に沿った大きさが拡張された拡張部分を有する、記録媒体受付装置。
【請求項３】
請求項１または請求項２のいずれかに記載の記録媒体受付装置であって、
前記挿入口の前記記録領域対応部分の前記第１の方向に沿った位置は、前記記録領域非対応部分の前記第１の方向に沿った略中央の位置である、記録媒体受付装置。
【請求項４】
請求項１ないし請求項３のいずれかに記載の記録媒体受付装置であって、
前記挿入口の前記記録領域対応部分は、前記記録媒体挿入部における前記挿入口を形成する外縁の一部を前記第１の方向に沿って突出させることにより形成されている、記録媒体受付装置。
【請求項５】
請求項２に記載の記録媒体受付装置であって、
前記拡張部分は、前記記録媒体の挿入時における前記記録媒体の挿入方向に略直交し、かつ前記第１の方向に略直交する方向に沿った位置にかかわらず、前記情報記録領域に対応する位置に形成されている、記録媒体受付装置。
【手続補正２】
【補正対象書類名】明細書
【補正対象項目名】０００８
【補正方法】変更
【補正の内容】
【０００８】
上記課題の少なくとも一部を解決するために、本発明は、以下の形態または適用例として実現することが可能である。本発明の一形態は、記録媒体受付装置であって、表面に情報が記録された情報記録領域を有する記録媒体を挿入するための挿入口を有する記録媒体挿入部を備え；前記記憶媒体挿入部は、前記記憶媒体の挿入方向前面から見て前記挿入口より上側に位置する上部部材と、前記記憶媒体の挿入方向前面から見て前記挿入口より下側に位置し、前記上部部材と共に前記挿入口を構成する下部部材と、を有し；前記上部部材の下縁は、前記下部部材の上縁よりも前記挿入口の外側に近い位置に設けられ；前記挿入口のうち、前記記録媒体の挿入時における前記情報記録領域の位置に対応する部分である記録領域対応部分は、前記記録媒体の厚さ方向に対応する第１の方向に沿った大きさが、前記挿入口の他の部分である記録領域非対応部分より小さい。このような形態であれば、挿入口の記録領域対応部分の記録媒体の厚さ方向に沿った大きさが、記録領域非対応部分の記録媒体の厚さ方向に沿った大きさより小さい。従って、この記録媒体受付装置では、スキミングをより確実に防止することができる。その他、本発明は、以下のような形態として実現することも可能である。
【手続補正書】
【提出日】平成26年5月30日(2014.5.30)
【手続補正１】
【補正対象書類名】特許請求の範囲
【補正対象項目名】請求項４
【補正方法】変更
【補正の内容】
【請求項４】
前記警備装置は、
前記監視対象の侵入異常を検知しているときは、前記入力部による利用者情報の入力及び前記参照処理部による前記参照要求信号の送信を禁止する請求項３に記載の利用者情報管理システム。
【手続補正２】
【補正対象書類名】明細書
【補正対象項目名】００１２
【補正方法】変更
【補正の内容】
【００１２】
また、本発明による利用者情報管理システムにおいて、前記警備装置は、前記監視対象の侵入異常を検知しているときは、前記入力部による利用者情報の入力及び前記参照処理部による前記参照要求信号の送信を禁止するようにしてもよい。
【手続補正書】
【提出日】平成26年10月10日(2014.10.10)
【手続補正１】
【補正対象書類名】特許請求の範囲
【補正対象項目名】全文
【補正方法】変更
【補正の内容】
【特許請求の範囲】
【請求項１】
経路に沿って媒体を運搬するように構成された媒体運搬部と、
画像担持面を有すると共に前記経路の少なくとも一部分に近接して移動可能な移動部材と、
記画像担持面にインク画像を形成するように構成された少なくとも１つの印字ヘッドと、
前記経路から予め定められた距離だけ離間する少なくとも１つの変換器と、
前記少なくとも１つの変換器に動作可能に接続されると共に、前記少なくとも１つの変換器に対向する前記インク画像に応じて前記少なくとも１つの変換器を作動させて、前記経路上の前記媒体に当たるように前記予め定められた距離だけ前記少なくとも１つの変換器の１部分を伸ばすと共に、前記媒体上の前記インク画像を突き通すように前記画像担持面上に前記インク画像が形成された後に、前記経路上の前記媒体に機械的エネルギーを方向付けるように構成されているコントローラと、
を含む相変化インク画像処理装置。
【請求項２】
前記少なくとも１つの変換器は複数の変換器を含み、各変換器は前記コントローラに動作可能に接続されると共に、前記コントローラは、前記経路上の前記媒体に当たり、前記媒体に機械的エネルギーを方向付け、前記媒体上の前記インク画像を突き通すように、前記複数の変換器に対向する前記インク画像に応じて前記複数の変換器の各変換器を作動させるように構成されている、請求項１に記載の装置。
【請求項３】
前記複数の変換器は、圧電変換器である請求項２に記載の装置。
【請求項４】
前記複数の変換器の各変換器は、前記媒体に機械的エネルギーを方向付けかつ前記媒体に前記インク画像を突き通すように、おおよそ超音波周波数で前記媒体と接触すると共に接触しないように各変換器の１部を移動させる構成されている請求項２に記載の装置。
【請求項５】
前記変換器は、前記経路の方へ機械的エネルギーを方向づけるために、第１周波数で動作するように構成されている、請求項２に記載の装置。
【手続補正書】
【提出日】平成26年9月25日(2014.9.25)
【手続補正１】
【補正対象書類名】特許請求の範囲
【補正対象項目名】全文
【補正方法】変更
【補正の内容】
【特許請求の範囲】
【請求項１】
複数の有色色材とクリア色材を用いて画像を記録する画像処理装置であって、
前記クリア色材のドット配置が異なり、前記クリア色材の量に対応する、複数のドット配置を示す情報を格納する記憶手段と、
画素ごとに、前記複数の有色色材それぞれの色材量および前記クリア色材の量を示す材量データを入力する入力手段と、
前記入力した材量データが示す前記クリア色材の量に基づき、前記画素における正反射光の色付きが無彩色に近づくよう、前記複数のドット配置の中から前記クリア色材のドット配置を決定する第一の決定手段とを有することを特徴とする画像処理装置。
【請求項２】
さらに、前記画素ごとに、前記材量データが示す前記複数の有色色材の色材量それぞれから前記複数の有色色材それぞれのドット配置を決定する第二の決定手段を有することを特徴とする請求項1に記載された画像処理装置。
【請求項３】
さらに、前記第一の決定手段により決定された前記クリア色材の第一のドット配置と、前記複数のドット配置に含まれる、前記第一のドット配置とは異なる第二のドット配置とを組み合わせて、複数の画素に対する前記クリア色材のドット配置を決定する第三の決定手段を有することを特徴とする請求項1に記載された画像処理装置。
【請求項４】
複数の有色色材とクリア色材を用いて画像を記録する画像処理方法であって、
前記クリア色材のドット配置が異なり、前記クリア色材の量に対応する、複数のドット配置を示す情報をメモリに格納し、
画素ごとに、前記複数の有色色材それぞれの色材量および前記クリア色材の量を示す材量データを入力し、
前記入力した材量データが示す前記クリア色材の量に基づき、前記画素における正反射光の色付きが無彩色に近づくよう、前記複数のドット配置の中から前記クリア色材のドット配置を決定することを特徴とする画像処理方法。
【請求項５】
コンピュータを請求項1から請求項3の何れか一項に記載された画像処理装置の各手段として機能させるためのプログラム。
【手続補正２】
【補正対象書類名】明細書
【補正対象項目名】００１５
【補正方法】変更
【補正の内容】
【００１５】
本発明にかかる画像処理は、複数の有色色材とクリア色材を用いて画像を記録する際に、前記クリア色材のドット配置が異なり、前記クリア色材の量に対応する、複数のドット配置を示す情報をメモリに格納し、画素ごとに、前記複数の有色色材それぞれの色材量および前記クリア色材の量を示す材量データを入力し、前記入力した材量データが示す前記クリア色材の量に基づき、前記画素における正反射光の色付きが無彩色に近づくよう、前記複数のドット配置の中から前記クリア色材のドット配置を決定することを特徴とする。
【手続補正書】
【提出日】平成26年10月10日(2014.10.10)
【手続補正１】
【補正対象書類名】特許請求の範囲
【補正対象項目名】全文
【補正方法】変更
【補正の内容】
【特許請求の範囲】
【請求項１】
処理方向においてプリンタにわたって媒体を搬送するように構成された媒体搬送部と、
各印刷バーが、１つの印刷バーに取り付けられた複数の印刷ヘッドと、前記処理方向において前記媒体搬送部によって前記印刷バー上の複数の前記印刷ヘッドを過ぎて搬送される媒体上にインクを吐出するために前記印刷バーに取り付けられた各印刷ヘッドに対してタイミング信号を送るように前記印刷バーに取り付けられた各印刷ヘッドに対して動作可能に接続された印刷ヘッド駆動回路とを有する複数の印刷バーと、
前記媒体が前記印刷バーに取り付けられた前記印刷ヘッドから吐出されたインクを受け取った後に、前記処理方向において前記プリンタにわたって搬送される前記媒体の交差処理部分に対応する画像データを生成するように前記媒体搬送部の一部の最も近くに取り付けられた撮像装置と、
前記プリンタにおける温度を表す信号を生成すると共に前記プリンタに取り付けられた少なくとも１つの温度センサと、
前記プリンタにおけるウェブ状態を表す信号を生成すると共に前記プリンタに取り付けられた少なくとも１つのウェブ状態センサと、
動作パラメータの入力を可能とするように構成された入力装置と、
前記撮像装置、前記入力装置、前記少なくとも１つの温度センサ、前記少なくとも１つのウェブ状態センサ、及び、前記複数の印刷バーについての前記印刷ヘッド駆動回路に対して動作可能に接続されており、前記撮像装置から受信された画像データを参照してレジストレーションエラーを識別し、前記識別されたレジストレーションエラーに対応する補償パラメータを生成し、前記少なくとも１つの温度センサ、前記少なくとも１つのウェブ状態センサ、及び、前記入力装置によって生成された信号を参照して、前記レジストレーションエラーが識別される前記画像データに対応する画像を前記プリンタが生成した時間において前記プリンタにおける第１の複数の状態を検出し、前記第１の複数の状態と関連して前記プリンタのメモリに前記補償パラメータを記憶するように構成されたコントローラと、
を備えるプリンタ。
【請求項２】
前記コントローラが、さらに、前記第１の複数の状態に対応する前記プリンタにおける第２の複数の状態を検出するように構成されており、前記第２の複数の状態が、前記少なくとも１つの温度センサによって生成された信号、前記少なくとも１つのウェブ状態センサによって生成された信号、前記プリンタにおいて検出された時間、前記プリンタにおいて検出されたイベント、及び、前記入力装置を介して入力された少なくとも１つの動作パラメータを参照して検出され、前記コントローラがまた、前記コントローラに対して動作可能に接続された前記メモリから前記第１の複数の状態と関連して記憶された前記補償パラメータを読み出し、前記補償パラメータを参照して前記プリンタにおける少なくとも１つの印刷バーに取り付けられた印刷ヘッドについての発射信号を生成し、前記プリンタにおける前記第１の複数の状態を参照して前記印刷ヘッドにおけるインクジェット吐出器を動作させるように前記印刷ヘッドが取り付けられた前記印刷バーについての前記印刷ヘッド駆動回路に対して前記発射信号を送るように構成されている、請求項１記載のプリンタ。
【請求項３】
前記コントローラが、さらに、前記入力装置から少なくとも１つのウェブパラメータを受信することによって前記少なくとも１つの動作パラメータを検出するように構成されている、請求項２記載のプリンタ。
【請求項４】
前記入力装置から受信された前記少なくとも１つのウェブパラメータが、媒体厚み、媒体種類、ウェブ速度、及び、反射モードのうちの少なくとも１つを識別する、請求項３記載のプリンタ。
【請求項５】
前記コントローラが、さらに、検出されたイベントからの経過時間を参照して前記プリンタにおける前記時間を検出するように構成されている、請求項２記載のプリンタ。
【手続補正書】
【提出日】平成26年10月10日(2014.10.10)
【手続補正１】
【補正対象書類名】特許請求の範囲
【補正対象項目名】全文
【補正方法】変更
【補正の内容】
【特許請求の範囲】
【請求項１】
固体インクジェットプリンタにおいてインクを貯蔵するための容積測定容器であって、
断熱材料から成るハウジングであって、前記ハウジングの内部に一定量の空間を有し、前記空間の量は高さ、幅及び深さを有するハウジングと、
前記ハウジングの空間量内に位置合わせされる、前記空間量の幅に渡ってインクを均一に溶融するための加熱エレメントと、
を備え、
前記加熱エレメントは、前記空間量の前記高さ及び幅によって画定される面積より大きい表面積を有するように構成される共に前記加熱エレメントのパラメトリック量は、前記ハウジング内の前記空間量内を完全に満たす液体量の５０％より大きい
容積測定容器。
【請求項２】
前記加熱エレメントの少なくとも１部分は、前記空間量内の低限界液体レベルの下に伸びる請求項１に記載の容積測定容器。
【請求項３】
前記ハウジングはさらに、
前記空間量へ流体で接続される、印刷装置から射出するための前記空間量からの溶融インクを受け入れるための印刷装置を備える、請求項１に記載の容積測定容器。
【請求項４】
前記加熱エレメントは、前記空間量における全ての固体インクが溶解する前に前記印刷装置による印刷を可能にするために、前記印刷装置と流体で連通する出口に近接する前記加熱エレメントの少なくとも一部が、前記出口に近接する固体インクを前記空間量の残りの部分における固体インクより急速に溶融することを有効化するように位置合わせされる、請求項３に記載の容積測定容器。
【請求項５】
前記断熱材料は、熱硬化プラステウィックである請求項１に記載の容積測定容器。
【手続補正書】
【提出日】平成26年10月15日(2014.10.15)
【手続補正１】
【補正対象書類名】特許請求の範囲
【補正対象項目名】全文
【補正方法】変更
【補正の内容】
【特許請求の範囲】
【請求項１】
樹脂を注入している間に、構成要素（２４）を通る樹脂の流れを制御するための孔（４８）を有するコールシート（２６）を備えた、樹脂が注入された複合パーツを製造する装置であって、
該コールシートが孔（４８）を有するパターン化された複数の領域（７５）と孔（４８）を有する他の複数の領域（７７）とを備え、
該コールシートの該パターン化された領域（７５）が該コールシートの該他の複数の領域（７７）より高い孔密度を有するので、孔密度のこの変動が該コールシート（２６）の浸透性の変動につながることを特徴とする装置。
【請求項２】
前記孔（４８）がテーパー状断面を有する、請求項１に記載の装置。
【請求項３】
前記コールシートがおおむね剛性である、請求項１に記載の装置。
【請求項４】
前記コールシートが、さらに、孔をひとつも含まない領域を、少なくとも１つ有する、請求項１に記載の装置。
【請求項５】
幾つかの孔のサイズが他の孔よりも大きい、請求項１に記載の装置。
【請求項６】
樹脂を前記コールシート上に全体に分配するための、前記コールシート（２４）を覆う樹脂分配媒体をさらに含む、請求項１に記載の装置。
【請求項７】
前記構成要素（２４）及び前記コールシート（２６）の間に剥離層をさらに含む、請求項１に記載の装置。
【請求項８】
樹脂が注入された複合パーツを製造する方法であって：
繊維構成要素（２４）を工具上に配置すること、
孔（４８）を有するパターン化した複数の領域（７５）と、孔（４８）を有する他の複数の領域（７７）とを有するコールシートであって、該コールシートの該パターン化された複数の領域（７５）が該コールシートの該他の複数の領域（７７）より高い孔密度を有するので、孔密度のこの変動が該コールシート（２６）の浸透性の変動につながるコールシートを配置すること、および
より多くの樹脂の供給が該構成要素（２４）の第1のパターン化した領域（７５）の下部に位置する部分に提供され、より少ない樹脂の供給が該構成要素（２４）の第２のパターン化した領域（７７）の下部に位置する部分に提供されるように、該コールシートの孔を通して該構成要素に樹脂を注入することを含む方法。
【請求項９】
前記孔のサイズを制御することによって、前記構成要素への前記注入を制御することをさらに含む、請求項８に記載の方法。
【請求項１０】
前記コールシート（２６）と前記構成要素（２４）の間に剥離層を配置することをさらに含む、請求項８に記載の方法。
【請求項１１】
前記コールシート（２６）の上に樹脂分配媒体を配置することをさらに含む、請求項８に記載の方法。
【請求項１２】
前記コールシートのおおむね中央の位置において、前記コールシート（２６）の上に樹脂を流すことをさらに含む、請求項８に記載の方法。
【請求項１３】
前記コールシート（２６）を使用して前記構成要素への樹脂の流れを制御することをさらに含む、請求項８に記載の方法。
【手続補正２】
【補正対象書類名】明細書
【補正対象項目名】００３８
【補正方法】変更
【補正の内容】
【００３８】
本発明の実施形態を特定の実例となる実施形態に関連させて説明してきたが、当然ながら特定の実施形態は説明のためであり、限定するものではなく、当業者が他の変形例を発想することが可能である。
また、本願は以下に記載する態様を含む。
（態様１）
樹脂が注入された複合パーツを製造する装置であって：
樹脂を注入している間に、構成要素全体の樹脂の流れを制御するための孔を有するコールシートを含む装置。
（態様２）
孔がテーパー状断面を有する、態様１に記載の装置。
（態様３）
孔がコールシートの領域の上に不均一に位置する、態様１に記載の装置。
（態様４）
コールシートがおおむね剛性である、態様１に記載の装置。
（態様５）
コールシートの幾つかの領域の孔の密度が、コールシートの他の領域よりも高い、態様１に記載の装置。
（態様６）
幾つかの孔のサイズが他の孔よりも大きい、態様１に記載の装置。
（態様７）
樹脂をコールシート全体に分配するための、コールシートを覆う樹脂分配媒体をさらに含む、態様１に記載の装置。
（態様８）
構成要素及びコールシートの間に剥離層をさらに含む、態様１に記載の装置。
（態様９）
樹脂が注入された複合パーツを製造する方法であって：
繊維構成要素を工具上に配置し；
有孔コールシートを構成要素上に配置し；
コールシートの孔を通して構成要素に樹脂を注入する
ことを含む方法。
（態様１０）
コールシートの領域全体の孔の分布、
コールシートの領域全体の孔の密度、及び
孔のサイズ
のうちの少なくとも一つを制御することによって、構成要素への注入を制御することをさらに含む、態様９に記載の方法。
（態様１１）
コールシートと構成要素の間に剥離層を配置することをさらに含む、態様９に記載の方法。
（態様１２）
コールシートの上に樹脂分配媒体を配置することをさらに含む、態様９に記載の方法。
（態様１３）
コールシートのおおむね中央の位置において、コールシートの上に樹脂を流す
ことをさらに含む、態様９に記載の方法。
（態様１４）
コールシートを使用して構成要素の中の樹脂の流れを制御する
ことをさらに含む、態様９に記載の方法。
【手続補正書】
【提出日】平成26年8月6日(2014.8.6)
【手続補正１】
【補正対象書類名】特許請求の範囲
【補正対象項目名】全文
【補正方法】変更
【補正の内容】
【特許請求の範囲】
【請求項１】
インク式印刷機器において少なくとも１つのプリントバーを印刷位置に位置決めする装置において、
プリントバー（１）ごとに２つの駆動兼ガイドユニット（ＡＦ）が設けられており、該駆動兼ガイドユニット（ＡＦ）は、調節可能な１つのガイド手段（５）と少なくとも１つの位置決め板（８）とをそれぞれ備えており、
プリントバー（１）は、駆動兼ガイドユニット（ＡＦ）ごとに、調節可能な位置決めピン（９）を備えたプリントバー収容部（１１）を備えており、
駆動兼ガイドユニット（ＡＦ）のガイド手段（５）およびプリントバー（１）のプリントバー収容部（１１）は、次のように形成されていて、つまり、駆動兼ガイドユニット（ＡＦ）にプリントバー（１）を嵌め込む際に、プリントバー（１）のプリントバー収容部（１１）が、駆動兼ガイドユニット（ＡＦ）のガイド手段（５）に浮遊支承式に載置され、ガイド手段（５）を印刷位置に調節したあとで、プリントバー（１）が駆動兼ガイドユニット（ＡＦ）にセンタリングされかつロックされ、その際、位置決めピン（９）が位置決め板（８）に係入するように、形成されていることを特徴とする、インク式印刷機器において少なくとも１つのプリントバーを印刷位置に位置決めする装置。
【請求項２】
少なくとも１つの位置決め板（８ａ）が、駆動兼ガイドユニット（ＡＦ）に調節可能に配置されている、請求項１記載の装置。
【請求項３】
駆動兼ガイドユニット（ＡＦ）ごとに、相互間隔を置いて２つの位置決め板（８）が設けられており、該位置決め板（８）は、プリントバー収容部（１１）内で調節可能に配置された位置決めピン（９）と協働し、プリントバー（１）は、４つの位置決め点で、駆動兼ガイドユニット（ＡＦ）にセンタリングされかつロックされるようになっている、請求項１または２記載の装置。
【請求項４】
第１の位置決め板（８ａ）もしくは第２の位置決め板（８ｂ）にそれぞれ凹所（１２もしくは１３）が設けられており、プリントバー収容部（１１）に配置された位置決めピン（９）は、ガイド手段（５）がプリントバー収容部（１１）と共に降下すると、位置決め板（８ａ，８ｂ）の凹所（１２，１３）に係入するようになっている、請求項３記載の装置。
【請求項５】
第１の駆動兼ガイドユニット（ＡＦ１）に第１の位置決め板（８ａ）が設けられており、該第１の位置決め板（８ａ）は、円錐形の凹所（１２）を備えており、
第２の駆動兼ガイドユニット（ＡＦ２）に第２の位置決め板（８ｂ）が設けられており、該第２の位置決め板（８ｂ）は、角柱の凹所（１３）を備えている、請求項４記載の装置。
【請求項６】
凹所（１２，１３）は、傾斜した側面（２３）を備えている、請求項５記載の装置。
【請求項７】
両方の駆動兼ガイドユニット（ＡＦ）に、それぞれ第３の位置決め板（８ｃ）が設けられており、該第３の位置決め板（８ｃ）は、扁平な表面を有している、請求項５または６記載の装置。
【請求項８】
位置決めピン（９）は、先端で丸く形成されており、位置決めピン（９）と位置決め板（８ａ，８ｂ）に設けられた凹所（１２，１３）との間に、凹所（１２，１３）に位置決めピン（９）が係入し始めてからロックされるまえに、遊びが形成されるようになっている、請求項４から７までのいずれか１項記載の装置。
【請求項９】
ガイド手段（５）は、駆動兼ガイドユニット（ＡＦ）ごとにそれぞれ少なくとも１つの収容ピン（６）を備えており、該収容ピン（６）は、それぞれプリントバー収容部（１１）に設けられた収容孔（７）に係入するようになっており、各収容孔（７）の直径は、駆動兼ガイドユニット（ＡＦ）にプリントバー（１）を浮遊支承するために、各収容ピン（６）の直径よりも大きく選択されており、収容ピン（６）に被せられるばね手段（１０）が設けられており、該ばね手段（１０）は、ばね力を、ガイド手段（５）に向かってプリントバー収容部（１１）に及ぼすようになっている、請求項１から８までのいずれか１項記載の装置。
【請求項１０】
駆動兼ガイドユニット（ＡＦ）におけるプリントバー（１）の浮遊支承の遊びが、第１の位置決め板（８ａ）の凹所（２５）の係入直径よりも小さく選択されているか、もしくは第２の位置決め板（８ｂ）の角柱の凹所（２６）の係入幅よりも小さく選択されている、請求項９記載の装置。
【請求項１１】
請求項９または１０に記載の装置を用いて、インク式印刷機器において印刷位置にプリントバーを位置決めする方法において、
プリントバー（１）を、ガイド手段（５）を備えた２つの駆動兼ガイドユニット（ＡＦ）に嵌め込み、ガイド手段（５）の収容ピン（６）をプリントバー（１）のプリントバー収容部（１１）の収容孔（７）に係入し、その際、各収容孔（７）の直径を、各収容ピン（６）の直径よりも大きく選択し、
ばね手段（１０）を、プリントバー収容部（１１）を介して収容ピン（６）に被せ、ガイド手段（５）に向かってプリントバー収容部（１１）にばね力を及ぼすようにし、
駆動兼ガイドユニット（ＡＦ）においてプリントバー（１）を印刷位置に位置決めする際に、プリントバー収容部（１１）に移動可能に支承された位置決めピン（９）が駆動兼ガイドユニット（ＡＦ）に配置された位置決め板（８）に係入するまで、ガイド手段（５）を降下し、プリントバー収容部（１１）をガイド手段（５）から離間し、位置決めピン（９）を、プリントバー（１）の重量とばね手段（１０）のばね力とに基づいて、対応する位置決め板（８）に位置決めし、プリントバー（１）を、駆動兼ガイドユニット（ＡＦ）にセンタリングし、ロックする、
ことを特徴とする、インク式印刷機器において印刷位置でプリントバーを位置決めする方法。
【手続補正書】
【提出日】平成26年10月29日(2014.10.29)
【手続補正１】
【補正対象書類名】特許請求の範囲
【補正対象項目名】全文
【補正方法】変更
【補正の内容】
【特許請求の範囲】
【請求項１】
複合パーツを工具上に積層する方法であって：
複合プリプレグ（３０）を変形可能な担体膜（３２）の上に適用することであって、該担体膜の少なくとも一部（３２ｃ）が変形しないように強化されることと;
該担体膜を変形させることによって該プリプレグを変形させることと；
該担体膜を使用して該プリプレグを該工具に適用することと、；
該変形したプリプレグ（３０）から該担体膜（３２）を取り外すことと
を含む方法。
【請求項２】
前記プリプレグ（３０）の適用には、プリプレグ層を前記担体膜（３２）と向き合った状態で圧縮することが含まれ、
前記プリプレグが前記工具に適用された後で、前記変形したプリプレグ（３０）から前記担体膜（３２）を取り外す、請求項１に記載の方法。
【請求項３】
前記プリプレグの適用には：
単向性のプリプレグテープのコース（４８ａ、４８ｂ、４ｃ）を隣り合わせの状態で前記担体膜（３２）上に適用することを含む、請求項１に記載の方法。
【請求項４】
前記プリプレグを前記担体膜に適用する前に、除去膜（５６）及び層ダブラー（５４）のうちの少なくとも一つを前記担体膜（３２）上に適用し；
前記担体膜を使用して、前記除去膜（５６）及びダブラー（５４）のうちの少なくとも一つを前記工具に適用する
ことをさらに含む、請求項１に記載の方法。
【請求項５】
前記プリプレグ（３０）からの前記担体膜の取り外しは、前記プリプレグを前記工具に適用した後で行う、請求項１に記載の方法。
【請求項６】
前記担体膜の少なくとも一部の強化は：
前記担体膜の担体部分（３２ｃ）の厚さを増加させること、
前記担体膜の該担体部分にエンボス加工を施すこと、及び
該担体部分に強化繊維（６０）を組み入れること
のうちの少なくとも一つが含まれる、請求項１に記載の方法。
【請求項７】
前記プリプレグが前記工具に適用されている時に、前記担体膜を変形させる、請求項１に記載の方法。
【請求項８】
前記複合プリプレグの繊維の方向に対して横方向に前記担体膜（３２）を変形させることによって該繊維間の間隔を広げることを含む、請求項１に記載の方法。  
【手続補正２】
【補正対象書類名】明細書
【補正対象項目名】００５６
【補正方法】変更
【補正の内容】
【００５６】
本発明の実施形態を特定の例示の実施形態について説明したが、当然ながら特定の実施形態は例示目的のものであって、限定するものではなく、当業者によって他の変形例を発想することが可能である。
また、本願は以下に記載する態様を含む。
（態様１）
複合パーツを工具上に積層する方法であって：
複合プリプレグを変形可能な担体の上に適用し；
担体を変形させることによってプリプレグを変形させ；
担体を使用してプリプレグを工具に適用し；
変形したプリプレグから担体を取り外す
ことを含む方法。
（態様２）
プリプレグの適用には、プリプレグを担体と向き合った状態で圧縮することが含まれ、
プリプレグが工具に適用された後で、変形したプリプレグから担体を取り外す、
態様１に記載の方法。
（態様３）
プリプレグの適用には：
単向性のプリプレグテープのコースを隣り合わせの状態で担体上に適用する
ことが含まれる、態様１に記載の方法。
（態様４）
プリプレグを担体に適用する前に、除去膜及び層ダブラーのうちの少なくとも一つを担体上に適用し；
担体を使用して、除去膜及びダブラーのうちの少なくとも一つを工具に適用する
ことをさらに含む、態様１に記載の方法。
（態様５）
プリプレグからの担体の取り外しは、プリプレグを工具に適用した後で行う、態様１に記載の方法。
（態様６）
担体の少なくとも一部を変形しないように強化する
ことをさらに含む、態様１に記載の方法。
（態様７）
担体の一部の強化には：
担体部分の担体の厚さを増加させること、
担体部分の担体にエンボス加工を施すこと、及び
担体部分に強化繊維を組み入れること
のうちの少なくとも一つが含まれる、態様６に記載の方法。
（態様８）
プリプレグが工具に適用されている時に、担体を変形させる、態様１に記載の方法。
（態様９）
態様１に記載の方法によって積層された複合パーツ。
（態様１０）
繊維の方向に対して横方向に膜を変形させることによって、プリプレグ繊維間の間隔を広げる、
態様１に記載の方法。
（態様１１）
態様１０に記載の方法によって変更された繊維結合度を有するプリプレグ繊維層。